(57)【要約】      （修正有）【課題】構造が簡単で安価であり、誰でも容易に着脱が可能で、且つ、安全で耐久性に優れた冷凍車両内の簡易荷物固定用フックを提供する。【解決手段】上端を蝶番で連結された相対向する二枚のプレートと、これらプレートのそれぞれ下端には、内方に折り曲げた係止部３ａ、３ｂを設けると共に、これら該プレートの下端部付近には長孔を、該プレートの長手方向と直交方向に穿設し、且つ、該プレートの上端部付近にはガイド用長輪５ａ、５ｂにベルト６を挿通し、該ベルトの他端には、紐、或いはネット等の部材と固定する固定具７を設けた事を特徴とするものである。【選択図】図３
0003161283.tif 000002
【実用新案登録請求の範囲】
【請求項１】
冷凍車両内の積載した荷物に対して、荷崩れを防止する為の一時固定する固定用フックであって、該フック本体（１）は、上端を蝶番（２）で連結された相対向する二枚のプレート（１ａ）（１ｂ）と、これらプレートのそれぞれ下端には、内方に折り曲げた係止部（３ａ）（３ｂ）を設けると共に、これら該プレートの下端部付近には長孔（４ａ）（４ｂ）を、該プレートの長手方向と直交方向に穿設し、且つ、該プレートの上端部付近にはガイド用長輪（５ａ）（５ｂ）にベルト（６）を挿通し、該ベルト（６）の他端には、紐、或いはネット等の部材と固定する固定具（７）を設けた事を特徴とする冷凍車両内の簡易荷物固定用フック。
【考案の詳細な説明】
【技術分野】
【０００１】
この考案は、冷凍車両内の簡易荷物固定用フックに関するものである。
【背景技術】
【０００２】
従来、冷凍用車両の床面は荷台上の品物を冷却する為に、床面には複数の長溝を有するアルミ押出成形部材を敷設して、その溝部に冷気を通す事で床上の品物を冷却保存する構造に成っている。
【０００３】
又、荷物を荷台に固定する時は大きい品物を荷台の前方側に出来るだけ詰めてまとめてロープ等の係止部材で固定するが、小さい品物はまとめ難い為、単独で固定する必要があるが、荷台に固定する為の係止用フックの位置が限られていて、固定するためには余分の手間が掛かるという問題がある。
【０００４】
そこで、上記問題を解決する為に、複数の長溝を有する床部材を利用して荷物を固定する、誰もが簡単で安全でワンタッチで荷物が固定出来、且つ、構造が単純で安価である冷凍車両内の簡易荷物固定用フックの早期開発が望まれている。
【先行技術文献】
【特許文献】
【０００５】
これまでに出願されている固定用フックに関する特許文献を参考の為、紹介する（特許文献１参照）。
【特許文献１】特許公開平１０−２２６２６７
【考案の概要】
【考案が解決しようとする課題】
【０００６】
そこで、上記課題を解決する為に、この考案は構造が簡単で安価であり、誰でも容易に着脱が可能で、且つ、安全で耐久性に優れた冷凍車両内の簡易荷物固定用フックを開発・提供する事にある。
【課題を解決するための手段】
【０００７】
この課題を解決するための手段として、上端を蝶番で連結された相対向する二枚のプレートと、これらプレートのそれぞれ下端には、内方に折り曲げた係止部を設けると共に、これら該プレートの下端部付近には長孔を、該プレートの長手方向と直交方向に穿設し、且つ、該プレートの上端部付近にはガイド用長輪にベルトを挿通し、該ベルトの他端には、紐、或いはネット等の部材と固定する固定具を設けた事を特徴とするものである。
【考案の効果】
【０００８】
この考案の効果として、上端を蝶番で連結された相対向する二枚のプレートと、これらプレートのそれぞれ下端には、内方に折り曲げた係止部を設けると共に、これら該プレートの下端部付近には長孔を、該プレートの長手方向と直交方向に穿設し、且つ、該プレートの上端部付近にはガイド用長輪にベルトを挿通し、該ベルトの他端には、紐、或いはネット等の部材と固定する固定具を設けた事で、構造が簡単で安価であり、誰でも容易に着脱が可能で、且つ、安全で耐久性に優れる等、極めて有益なる効果を奏するものである。
【図面の簡単な説明】
【０００９】
【図１】この考案の一実施例を示し、（Ａ）は平面図で、（Ｂ）は正面図である。
【図２】この考案の一実施例を示し、右側面図である。
【図３】この考案の使用例を示し、簡易荷物固定用フックの装着要領図である。
【図４】この考案の使用例を示し、簡易荷物固定用フックの装着状態図である。
【考案を実施するための形態】
【００１０】
この考案を実施するための形態として、冷凍車両内の積載した荷物に対して、荷崩れを防止する為の一時固定する固定用フックであって、該フック本体（１）は、上端を蝶番（２）で連結された相対向する二枚のプレート（１ａ）（１ｂ）と、これらプレートのそれぞれ下端には、内方に折り曲げた係止部（３ａ）（３ｂ）を設けると共に、これら該プレートの下端部付近には長孔（４ａ）（４ｂ）を、該プレートの長手方向と直交方向に穿設し、且つ、該プレートの上端部付近にはガイド用長輪（５ａ）（５ｂ）にベルト（６）を挿通し、該ベルト（６）の他端には、紐、或いはネット等の部材と固定する固定具（７）を設けた事を特徴とする冷凍車両内の簡易荷物固定用フックから構成される。
【実施例１】
【００１１】
そこで、この考案の一実施例を図１（Ａ）（Ｂ）〜図２に基づいて詳述すると、まず図１（Ａ）は簡易荷物固定用フックの平面図で、（Ｂ）は正面図である。そして簡易荷物固定用フックは主にフック本体（１）と、ベルト（６）と、固定具（７）から成り、且つ、該フック本体（１）は上端を蝶番（２）で連結された相対向する二枚のプレート（１ａ）（１ｂ）と、これらプレートのそれぞれ下端には、内方に折り曲げた係止部（３ａ）（３ｂ）を設けると共に、これら該プレートの下端部付近には長孔（４ａ）（４ｂ）を、該プレートの長手方向と直交方向に穿設し、且つ、該プレートの上端部付近にはガイド用長輪（５ａ）（５ｂ）にベルト（６）を挿通可能に設けている。又、前記フック本体（１）は蝶番（２）の軸部を支点にして約１１０度開閉可能に設けられているが、この開閉角度は使用目的や使用状況に応じて、ベルトの長さを長くする事で、更に現状より広く開閉させる事も可能である。
【００１２】
そして、上記ベルトは図２に示すようにベルトの一端部をフック本体（１）の左右プレート（１ａ）（１ｂ）に設けたガイド用長輪（５ａ）（５ｂ）と、ベルト通し用長孔（４ａ）（４ｂ）部に左右対称に成るように挿通し、更に固定具（７）の下端部に設けたベルト係止用長輪（７ｄ）部に挿通した後、他端部との両端を縫着して固定されている。
【００１３】
又、前記固定具（７）は、右側面視の断面形状をコの字状に形成して設けた固定具本体（７ａ）と、ベルトを係止する為のベルト係止用長輪（７ｄ）と、前記固定具本体とベルト係止用長輪を連結する為のＵ字状連結部材（７ｂ）とピン（７ｃ）（７ｃ）から成り、且つ、該固定具（７）は、ベルトの係止部中心（Ｘ'）より所定角度（α'）程、回動可能に設けられ、更に、固定具本体（７ａ）もＵ字状連結部材（７ｂ）の回動軸部（Ｘ）を支点に所定角度（α）程、回動可能に軸着されている。従って、固定する荷物の形状に柔軟に対応可能に成っている為、確実に安全・強固に荷物の固定が可能である。
【００１４】
そして、この考案の簡易荷物固定用フックを使用する時は、固定具（７）の先端部に品物を包囲梱包する紐やネット等を係止し、且つ、フック本体（１）側の係止部（３ａ）（３ｂ）を車両床部材（Ｆ）の溝部に引掛けて固定する。
【００１５】
尚、上記固定具（７）の寸法及び形状は梱包する品物に応じて変更する事が可能であり、図１に示す固定具に限定するものではない。
【産業上の利用可能性】
【００１６】
この考案の簡易荷物固定用フックは、構造が簡単で安価であり、誰でも容易に着脱が可能で、且つ、安全で耐久性に優れている事で、多くの自動車関連市場に寄与する為、産業上の利用可能性を有する。
【符号の説明】
【００１７】
１  フック本体
１ａ  プレート
１ｂ  プレート
２  蝶番
３ａ  係止部
３ｂ  係止部
４ａ  長孔
４ｂ  長孔
５ａ  ガイド用長輪
５ｂ  ガイド用長輪
６  ベルト
７  固定具
７ａ  固定具本体
７ｂ  Ｕ字状連結部材
７ｃ  ピン
７ｄ  ベルト係止用長輪
Ｆ  床部材
Ｘ  回動軸部
Ｘ'  回動軸部
α  所定角度
α'  所定角度
【図１】
0003161283.tif 000003
【図２】
0003161283.tif 000004
【図３】
0003161283.tif 000005
【図４】
0003161283.tif 000006
【手続補正書】
【提出日】平成22年5月13日(2010.5.13)
【手続補正１】
【補正対象書類名】実用新案登録請求の範囲
【補正対象項目名】請求項１
【補正方法】変更
【補正の内容】
【請求項１】
冷凍車両内の積載した荷物に対して、荷崩れを防止する為の一時固定する固定用フックであって、該フックはフック本体（１）と、ベルト（６）と、固定具（７）から成り、該フック本体（１）は、上端を蝶番（２）で連結された相対向する二枚のプレート（１ａ）（１ｂ）と、これらプレートのそれぞれ下端には、内方に折り曲げた係止部（３ａ）（３ｂ）を設けると共に、これら該プレートの下端部付近には長孔（４ａ）（４ｂ）を、該プレートの長手方向と直交方向に穿設し、且つ、該プレートの上端部付近にはガイド用長輪（５ａ）（５ｂ）にベルト（６）を挿通し、該ベルト（６）の他端には、紐、或いは荷物を包囲梱包する部材と固定する固定具（７）を設けた事を特徴とする冷凍車両内の簡易荷物固定用フック。